(57)【要約】      （修正有）【課題】警報装置を備えた電気照明スタンドを提供する。【解決手段】電源として充電器１５及び／又は乾電池を備えたスタンド本体１に、前記電源に接続されて警報音を発する警報装置２が配設され、又、前記の充電器１５は、ＵＳＢ接続端子を備えた充電器であって、当該充電器は交換自在な乾電池であること、又、支柱部には、電源の一つとしての乾電池を装填可能な乾電池ホルダーが配設されたことを特徴とする。更に、スタンド本体１は、充電器が内蔵された据え置き基部１１と照明器１３が配設された照明部１３と前記照明部１３を前記据え置き基部１１の上空に支承する支柱部とが互いに回動自在に連結され、照明スタンドとしての不使用時には、据え置き基部１１と支柱部と照明部１３とが層状に重なり、側面から観て略横一形状となる可変連結構成とされたことを特徴とする【選択図】図４
0003176039.tif 000002
【実用新案登録請求の範囲】
【請求項１】
電源として充電器及び／又は乾電池を備えたスタンド本体に、前記電源に接続されて警報音を発する警報装置が配設されたことを特徴とする電気照明スタンド。
【請求項２】
充電器は、ＵＳＢ接続端子を備えた充電器であって、当該充電器は交換自在な乾電池であることを特徴とする請求項１の電気照明スタンド。
【請求項３】
支柱部には、電源の一つとしての乾電池を装填可能な乾電池ホルダーが配設されたことを特徴とする請求項１又は請求項２の電気照明スタンド。
【請求項４】
スタンド本体は、充電器が内蔵された据え置き基部と照明器が配設された照明部と前記照明部を前記据え置き基部の上空に支承する支柱部とが互いに回動自在に連結され、照明スタンドとしての使用時には、据え置き基部の上空に照明部を位置させる支柱部が照明部を支承するように、側面から観て略Ｚ形状に変形可能で、不使用時には、据え置き基部と支柱部と照明部とが層状に重なり、側面から観て略横一形状となる可変連結構成とされたことを特徴とする請求項１乃至請求項３の何れかに記載の電気照明スタンド。
【請求項５】
警報装置は、電源に接続された警報音発生回路手段と警報音発生器と警報音発生スイッチとを備えたことを特徴とする請求項１乃至請求項４の何れかに記載の電気照明スタンド。
【請求項６】
警報音発生回路手段は支柱部に内蔵され、警報音発生器は支柱部に、警報音発生スイッチは照明部の外表面側に各々配設されたことを特徴とする請求項５の電気照明スタンド。
【請求項７】
警報装置の警報音発生器はスピーカであることを特徴とする請求項1乃至請求項６の何れかに記載の電気照明スタンド。
【請求項８】
スタンド本体にはラジオ受信装置が内蔵されたことを特徴とする請求項1乃至請求項７の何れかに記載の電気照明スタンド。
【請求項９】
ラジオ受信装置はＡＭ及びＦＭ受信機能を備えたことを特徴とする請求項８の電気照明スタンド。
【請求項１０】
ラジオ受信装置の電源は電気照明スタンド用電源を用いると共通であることを特徴とする請求項８又は請求項９の電気照明スタンド。
【請求項１１】
ラジオ受信装置のラジオ操作部は支柱部に配設され、前記ラジオ操作部はラジオＯＮ／ＯＦＦスイッチ機能を備え、ラジオのスピーカは警報音発生器のスピーカとしたことを特徴とする請求項８乃至請求項１０の何れかに記載の電気照明スタンド。
【請求項１２】
スタンド本体にはＩＣ録音装置が内蔵されたことを特徴とする請求項1乃至請求項１１の何れかに記載の電気照明スタンド。
【請求項１３】
ＩＣ録音装置の電源は電気照明スタンド用電源と共通の電源であることを特徴とする請求項１２の電気照明スタンド。
【請求項１４】
ＩＣ録音装置の録音起動ＯＮ／ＯＦＦスイッチは照明部の外表面側に、ＩＣ録音装置の再生操作部は支柱部に、ＩＣ録音装置の集音マイク部は据え置き基部に各々配設され、再生スピーカは支柱部に設けられたラジオスピーカと共用させたことを特徴とする請求項１２又は請求項１３の何れかに記載の電気照明スタンド。
【請求項１５】
電源へ電力を供給する太陽光発電装置を備え、前記太陽光発電装置が照明部の外表面側に配設されたことを特徴とする請求項１乃至請求項１４の何れかに記載の電気照明スタンド。
【請求項１６】
支柱部に内設されたラジオスピーカの音を支柱部の内から外に漏らす通音用スリットを支柱部の側面側の支柱部ケースに設けたことを特徴とする請求項１乃至請求項１５の何れかに記載の電気照明スタンド。
【請求項１７】
照明部に用いられる照明器はＬＥＤライトであることを特徴とする請求項１乃至請求項１６の何れかに記載の電気照明スタンド。
【考案の詳細な説明】
【技術分野】
【０００１】
本考案は、警報装置を備えた充電式の家庭用電気照明スタンド、例えばＬＥＤスタンドに関するものである。
【背景技術】
【０００２】
家庭用電気照明スタンドは、家庭内や職場等の手近な場所に常時置かれるものであり、最近では家庭用電源に繋がれる電源コードを用いない充電式（ＵＳＢ接続端子を備えた充電器を含む）や乾電池式、或いは、電源コードを用いていても停電等の非常時には照明を継続できる充電式の家庭用電気照明スタンドが普及している。
【０００３】
所謂、非常時には、何も単なる停電に限らず、地震や津波等の天災によって引き起こされる家屋の倒壊や社会的混乱もある。
又、日常生活時における家庭内や職場であっても、家人等人の目が届き難い場所での急な体調不良や転倒による怪我等、救助を必要とする場合は多々ある。
【考案の概要】
【考案が解決しようとする課題】
【０００４】
本考案は、上記のような非常事態が生じた際に、手近にあって、速やかに救助を求めることのできる警報装置を備えた電気照明スタンドの提供を目的とする。
【課題を解決するための手段】
【０００５】
請求項１の電気照明スタンドの考案は、電源として充電器及び／又は乾電池を備えたスタンド本体に、前記電源に接続されて警報音を発する警報装置が配設されたことを特徴とする。
【０００６】
請求項２の考案は、請求項１の電気照明スタンドにおいて、充電器は、ＵＳＢ接続端子を備えた充電器であって、当該充電器は交換自在な乾電池であることを特徴とする。
【０００７】
請求項３の考案は、請求項１又は請求項２の電気照明スタンドにおいて、支柱部には、電源の一つとしての乾電池を装填可能な乾電池ホルダーが配設されたことを特徴とする。
【０００８】
請求項４の考案は、請求項１乃至請求項３の何れかに記載の電気照明スタンドにおいて、スタンド本体は、充電器が内蔵された据え置き基部と照明器が配設された照明部と前記照明部を前記据え置き基部の上空に支承する支柱部とが互いに回動自在に連結され、照明スタンドとしての使用時には、据え置き基部の上空に照明部を位置させる支柱部が照明部を支承するように、側面から観て略Ｚ形状に変形可能で、不使用時には、据え置き基部と支柱部と照明部とが層状に重なり、側面から観て略横一形状となる可変連結構成とされたことを特徴とする。
【０００９】
請求項５の考案は、請求項１乃至請求項４の何れかに記載の電気照明スタンドにおいて、警報装置は、電源に接続された警報音発生回路手段と警報音発生器と警報音発生スイッチとを備えたことを特徴とする。
【００１０】
請求項６の考案は、請求項５の電気照明スタンドにおいて、警報音発生回路手段は支柱部に内蔵され、警報音発生器は支柱部に、警報音発生スイッチは照明部の外表面側に各々配設されたことを特徴とする。
【００１１】
請求項７の考案は、請求項1乃至請求項６の何れかに記載の電気照明スタンドにおいて、警報装置の警報音発生器はスピーカであることを特徴とする。
【００１２】
請求項８の考案は、請求項1乃至請求項７の何れかに記載の電気照明スタンドにおいて、スタンド本体にはラジオ受信装置が内蔵されたことを特徴とする。
【００１３】
請求項９の考案は、請求項８の電気照明スタンドにおいて、ラジオ受信装置はＡＭ及びＦＭ受信機能を備えたことを特徴とする。
【００１４】
請求項１０の考案は、請求項８又は請求項９の電気照明スタンドにおいて、ラジオ受信装置の電源は電気照明スタンド用電源を用いると共通であることを特徴とする。
【００１５】
請求項１１の考案は、請求項８乃至請求項１０の何れかに記載の電気照明スタンドにおいて、ラジオ受信装置のラジオ操作部は支柱部に配設され、前記ラジオ操作部はラジオＯＮ／ＯＦＦスイッチ機能を備え、ラジオのスピーカは警報音発生器のスピーカとしたことを特徴とする。
【００１６】
請求項１２の考案は、請求項1乃至請求項１１の何れかに記載の電気照明スタンドにおいて、スタンド本体にはＩＣ録音装置が内蔵されたことを特徴とする。
【００１７】
請求項１３の考案は、請求項１２の電気照明スタンドにおいて、ＩＣ録音装置の電源は電気照明スタンド用電源と共通の電源であることを特徴とする。
【００１８】
請求項１４の考案は、請求項１２又は請求項１３の何れかに記載の電気照明スタンドにおいて、ＩＣ録音装置の録音起動ＯＮ／ＯＦＦスイッチは照明部の外表面側に、ＩＣ録音装置の再生操作部は支柱部に、ＩＣ録音装置の集音マイク部は据え置き基部に各々配設され、再生スピーカは支柱部に設けられたラジオスピーカと共用させたことを特徴とする。
【００１９】
請求項１５の考案は、請求項１乃至請求項１４の何れかに記載の電気照明スタンドにおいて、電源へ電力を供給する太陽光発電装置を備え、前記太陽光発電装置が照明部の外表面側に配設されたことを特徴とする。
【００２０】
請求項１６の考案は、請求項１乃至請求項１５の何れかに記載の電気照明スタンドにおいて、支柱部に内設されたラジオスピーカの音を支柱部の内から外に漏らす通音用スリットを支柱部の側面側の支柱部ケースに設けたことを特徴とする。
【００２１】
請求項１７の考案は、請求項１乃至請求項１６の何れかに記載の電気照明スタンドにおいて、照明部に用いられる照明器はＬＥＤライトであることを特徴とする。
【考案の効果】
【００２２】
請求項１乃至請求項１７の各考案によれば、何れも、身近に存在する電気照明スタンドを用いて、非常時の際に、救助を求める警報音を発生させることにより、容易に救助を求めることができる。
【００２３】
例えば、地震や津波で倒壊した家屋等の瓦礫に閉じ込められたり、遭難したりした際に、救助を求める声に代えて警報音を発生させることにより、声を上げ得ない非常事態に陥っても、容易に救助を求めることができるし、電源電力が消耗するまでは、比較的長時間にわたって、警報音発生スイッチのスイッチ操作により断続的に救助を求め続けることができる。
【００２４】
又、日常生活時においても、救助を必要とする非常事態の際には、家庭や職場内だけでなく、屋外に持ちだして、救助を求めることができる。
【００２５】
一般の電気照明スタンドは照明間隔を得るために高さが必要であるため、電気照明ス
タンドとしての使用時のままの状態で、当該電気照明スタンドを携帯するのは難しいが、請求項２乃至請求項１７の各考案、殊に、請求項９の考案によれば、使用時には略Ｚ形に立ち上がっている電気照明スタンドを、略横一状態に折り畳むことができるので、手軽に携帯することができ、通常は照明用に用いている電気照明スタンドを非常時での警報装置として用いることができる。
【００２６】
請求項８乃至請求項１１の各考案は、何れも、ラジオ受信装置を備えているので、日常的にラジオ放送を楽しむことができると共に、地震や津波、或いは台風や洪水等の天災や社会的混乱によって非常事態に陥った際に、ラジオ放送を通じて所要の情報を得ることができる。
【００２７】
請求項１２乃至請求項１４の各考案は、何れも、ＩＣ録音再生装置を備えているので、日常的に楽しむラジオ放送を録音し再生することで繰り返し楽しむことができると共に、地震や津波、或いは台風や洪水等の天災や社会的混乱によって非常事態に陥った際には、ラジオの緊急放送等、重要な放送内容を録音し再生することで繰り返して確認することができる。を通じて所要の情報を得ることができる。
【００２８】
請求項１５の考案によれば、太陽光発電装置を備えているので、所要の光量を確保することができれば、所謂電池切れを生じさせること無く、非常警報装置として当該電気照明スタンドを効果的に用いることができる。
【００２９】
請求項１６の考案によれば、支柱部の側面側に通音用スリットが設けられているので、電気照明スタンドを折り畳んだ状態での携帯の際でも、当該通音用スリットを介してラジオ放送や再生させた録音内容を聴くことができる。
【００３０】
請求項１７の考案によれば、ＬＥＤライトを照明器として用いているので、電力消費を大幅に抑制させることができる。
【図面の簡単な説明】
【００３１】
【図１】図１は実施例１の電気照明スタンドの照明用としての使用状態を示す斜視図である（実施例１）。
【図２】図２は図１のスタンドを直方体ブロック状に折り畳んだ状態の側面図である（実施例１）。
【図３】図３は図１のスタンドを直方体ブロック状に折り畳んだ状態の一方側の端面図である（実施例１）。
【図４】図４は実施例２の電気照明スタンドの照明用としての使用状態を示す斜視図である（実施例２）。
【図５】図５は図４に示すラジオ操作部の拡大図である（実施例２）。
【図６】図６は実施例３の電気照明スタンドの照明用としての使用状態を示す斜視図である（実施例３）。
【図７】図７は実施例４の電気照明スタンドの照明用としての使用状態を示す斜視図で  ある（実施例４）。
【考案を実施するための形態】
【００３２】
本考案を実施するための最良の形態として、警報装置を備えた電気照明スタンドとして発光ダイオ−ド（以下、単にＬＥＤともいう）を照明器として用いた電気照明スタンド（以下、単にスタンドともいう）の例（以下、単にＬＥＤスタンドともいう）を実施例１、実施例１のＬＥＤスタンドにラジオ受信装置を加えた例を実施例２、実施例２のＬＥＤスタンドに更にＩＣ録音装置を加えた例を実施例３として、以下、図１乃至図６に示す図に基づいて説明する。
【実施例１】
【００３３】
実施例１は、警報装置を備えた電気照明スタンドとして発光ダイオ−ドを照明器として用いた電気照明スタンドの例である。
図１において、この実施例１のＬＥＤスタンドとしてのスタンド本体１は、平面上に据え置かれる据え置き基部１１と、据え置き基部１１に回動自在に連結されて上方へ立ち上がる支柱部１２と、支柱部１２に回動自在に連結された照明部１３とが、図示のようにスタンドを側面側から観ると略Ｚ形状に変形可能に構成されている。
【００３４】
照明部１３の下面側には図では目視できないが照明器としてのＬＥＤ(図示せず)が、又、照明部１３を上空に支承する支柱部１２には後述する警報装置２の主要部が各々配設されており、スタンドの基盤となる据え置き部１１には電源の一つとしての充電器１５が内蔵されている。
尚、この充電器１５は、ＵＳＢ接続端子１５１を備えた充電器であって、当該充電器１５は交換自在な乾電池(図示せず)であってもよい。尚、図３中の符号１１１は据え置き部１１の端面側に設けられたＵＳＢ接続端子１５１である。
【００３５】
図１及び図３に示すように、この実施例１のＬＥＤスタンドの照明用しての使用時には、据え置き基部１１の上空に照明部１３を位置させるように照明部を持ち上げ状態に支承する支柱部１２を斜めに立ち上げて、スタンド全体を略Ｚ形状に変形させ、不使用時には、据え置き基部１１と支柱部１２と照明部１３とを層状に重なるように折り畳んで、一つの直方体ブロックとなして、側面から観て略横一形状となるように変形する可変連結構成とされている。
【００３６】
尚、図１中の符号１１１２は据え置き基部１１と支柱部１２とを可変に連結する第1連結機構部であり、符号１２１３は支柱部１２と照明部１３とを可変に連結する第２連結機構部である。
又、この実施例１では、三段重ねで層状に重なる据え置き基部１１と支柱部１２と照明部１３の各部は、重なった状態の容積を小さくして携帯に便ならしめるように、略同一形状の薄板状となるように各々の部の外形を形成する外郭ケースが樹脂成型されているが、必ずしも、このような形状とする必要はない。
【００３７】
図１において、この実施例１では、据え置き部１１に内蔵された電源としての充電器１５の外に、更に電源として、支柱部１２の下部即ち据え置き部１１側に、この例では単４乾電池２本が装填可能な乾電池ホルダー１２１が設けられている。勿論、電源としては前記充電器１５だけでもよいし、乾電池ホルダー１２１に装填される乾電池だけを電源としてもよい。
【００３８】
又、図示されていないが、これ等の電源の外に家庭用１００Ｖ電源（コンセント）に接続される電源コードであって当該スタンド本体１の適所の接続端子(図示せず)と抜き差し自在な接続端子を備えた構成としてもよい。
尚、図中の符号１３１は照明部１３の外面側に設けられたＬＥＤライト用点灯スイッチである。
【００３９】
ＬＥＤスタンド本体１には、前記した充電器１５及び／又は乾電池（１２１）を共通の電源とする警報装置２が配設されている。
警報装置２は、前記の電源１５、１２１に接続された警報音発生回路手段２０と警報音発生器２１と警報音発生スイッチ２２とを備えており、警報音発生回路手段２０は支柱部１２に、警報音発生器２１は支柱部１２に各々内蔵され、警報音発生スイッチ２２は照明部１３の外表面側に配設されている。
【００４０】
この実施例１では、警報音発生器２１としてラジオ用のスピーカを用いているが、他のスピーカや電子音発生器等、その他の警報音発生手段を用いてもよい。
スピーカの第1の発声部２２１は、支柱部１２の照明部１３と相対する面側（以下、正面側ともいう）に設けており、更に、支柱部１２の側面側にスピーカの音を支柱部１２の側面外方に流すための第２の発声部２２２を設けている。
【００４１】
第２の発声部２２２は、据え置き基部１１と支柱部１２と照明部１３とが携帯に便利な一つの直方体ブロック状に折り畳められた際でも、警報音が外部に十分に届くように、折り畳められても重なり合わない面、即ち、この例では当該支柱部１２に内設された前記スピーカの音を支柱部１２の内部から外部に漏らすよう、通音用スリット（２２２）を当該支柱部１２の支柱部外郭ケースに形成して設けている。
【００４２】
この警報装置２の警報音発生スイッチ２２は、図示で分かるようにタッチ式スイッチを用いているが、勿論、このタッチ式スイッチは一例であり、これに限定されず、他の適当なスイッチ手段を用いてもよい。
警報音発生スイッチ２２がＯＮにスイッチされると、電気照明スタンド用の主電源（１５）及び／又は副電源（１２１）から警報音発生回路手段２０に電気が供給され、当該回路手段２０がＯＮ状態となって、警報音発生器２１から所定の音量例えば１００ｄＢで、所定の警報音例えば「ピー・ピー・ピー・・・」と断続的に電子音が発生するように、予め前記の警報音発生回路手段（図示せず）に設定されている。
【００４３】
尚、実施例１の警報音発生器２１は電子音を発生させる発生器を用いているが、これも、勿論、警報発生手段としての一例であり、他の適当な警報音を発生させる警報発生手段、例えば、電気振動式ブザー等を用いてもよい。
【００４４】
上記実施例１の考案によれば、日常的に身近に在る電気照明スタンドを用いて、緊急字や非常時の際に、警報音を発生させることによって容易に救助を求めることができる。
例えば、地震や津波で倒壊した家屋等の瓦礫に閉じ込められたり、遭難したりした際に、救助を求める声に代えて警報音を発生させることができ、声を上げ得ない非常事態に陥っても、容易に救助を求めることができるし、電源電力が消耗するまでは、比較的長時間にわたって、警報音発生スイッチ２２のスイッチ操作により断続的に救助を求め続けることができる。
【００４５】
又、一般の電気照明スタンドは照明間隔を得るために適度な高さが必要であるため、電気照明スタンドとしての使用時のままの状態で、当該電気照明スタンドを携帯するのは難しいが、実施例１の考案によれば、使用時には略Ｚ形に立ち上がっている電気照明スタンドを、略横一状態にコンパクトに折り畳むことができるので、手軽に携帯することができ、通常は照明用に用いている電気照明スタンドを緊急時や非常時には屋外で携帯用の警報装置として用いることができる。
【００４６】
実施例２は、上記実施例１のＬＥＤスタンド１に更にラジオ受信装置を配設した例であり、これを図４及び図５に基づいて説明する。
尚、図４中において、上記実施例１の図１乃至図３と共通の符号は同一部材であり同一内容であるので、説明を省略する。
【００４７】
図４の電気照明スタンドのスタンド本体１には、ＡＭ及びＦＭ受信機能を備えたラジオ受信装置５が次のように配設されている。
即ち、ラジオ受信装置５の受信装置本体５１は、スタンド本体１の支柱部１２に内蔵されており、そのラジオ受信装置５の電源は電気照明スタンド用の電源１５、１２１と共通に接続されている。
【００４８】
図４において、ラジオのＯＮ／ＯＦＦスイッチ等のラジオ操作機能を備えたラジオ操作部５２は支柱部１２に配設され、ラジオのスピーカは警報音発生器２のスピーカ２２１と共通に用いられるように接続されている。
【００４９】
図５において、ラジオ操作部５２は次のように構成されている。
即ち、中央にはラジオの電源１５、１２１のＯＮ／ＯＦＦスイッチ５２１が、ＯＮ／ＯＦＦスイッチ５２１の右側には周波数を上げる周波数上げ操作ボタン５２２が、ＯＮ／ＯＦＦスイッチ５２１の左側には周波数を下げる周波数下げ操作ボタン５２３が、ＯＮ／ＯＦＦスイッチ５２１の上側には音量を上げる＋操作ボタン５２４が、ＯＮ／ＯＦＦスイッチ５２１の下側には音量を下げる−操作ボタン５２５が各々配設されており、左右の周波数操作ボタン５２２、５３３の適宜の押し操作で希望の周波数が設定（選局）され、音量操作ボタン５２４、５２５の適宜の押し操作で音量が調整される。
【００５０】
この実施例２の考案によれば、上記実施例１の警報装置２に加えてラジオ受信装置５を備えているので、日常的にラジオ放送を楽しむことができる上に、地震や津波、或いは台風や洪水等の天災や社会的混乱によって緊急事態や非常事態に陥った際には、屋内外において、ラジオ放送を通じて所要の情報を得ることができる。
【００５１】
実施例３は、上記実施例２のＬＥＤスタンド１にＩＣ録音装置６を配設した例であり、これを図６に基づいて説明する。
図６において、スタンド本体１の支柱部１２にＩＣ録音装置６の録音装置本体６１が内蔵されており、この電源も上記実施例１、２で説明された電気照明スタンド用の電源１５、１２１と共通の電源である。
ＩＣ録音装置６の録音起動ＯＮ／ＯＦＦスイッチ６２は照明部１３の外表面側に、再生操作部６３は支柱部１２に、集音マイク部６４は据え置き基部１１の一方の端面側に、各々配設されている。
【００５２】
ＩＣ録音装置６の再生スピーカは支柱部１２に設けられたラジオスピーカ２２１と共用である。又、据え置き部１１の側面側にはイヤホーン接続端子６５が設けられており、当該接続端子６５にイヤホーンー(図示せず)が接続された際にはラジオスピーカー２２１は自動停止される回路構成とされている。
【００５３】
この実施例３によれば、ＩＣ録音再生装置６を備えているので、日常的に楽しむラジオ放送を録音し再生することで繰り返し楽しむことができるだけでなく、地震や津波、或いは台風や洪水等の天災や社会的混乱によって緊急事態や非常事態に陥った際には、ラジオの緊急放送等、重要な放送内容を録音し再生することで、情報を繰り返して確認することができる。
【００５４】
又、上述のように、据え置き部１１にはイヤホーン接続端子部６５を、支柱部１２の側面側にはやスピーカ音を通す通音用スリット２２２を設けているので、電気照明スタンド１を折り畳んだ状態での携帯、殊に、緊急事態や非常時にＬＥＤスタンド１を折り畳んで持ち出しの際には、イヤホーン(図示せず)か通音用スリット２２２の何れかを介して再生させた録音内容を聴くことができる。
【００５５】
実施例４は、上記実施例３のＬＥＤスタンド１に電源として更に太陽光発電装置７を配設した例である。
図７において、この実施例では、太陽光発電装置７の受光部が照明部１３の外表面側に配設されている。
このように、電源として更に太陽光発電装置７を設けて置くことよって、所要の光量を確保することができる限り、所謂電池切れを生じさせること無く、緊急時や非常時の際の警報装置２として電気照明スタンド１を更に効果的に用いることができる。
【００５６】
尚、上記実施例１乃至４では、何れも照明器として電力消費を大幅に抑制させることができるＬＥＤライトを用いた例で説明したが、勿論、他の照明器を用いてもよい。
【産業上の利用可能性】
【００５７】
本考案は、ＬＥＤ電気照明スタンドに限らず、他の照明器を用いた一般的な電気照明スタンドに広く利用することができる。
【符号の説明】
【００５８】
１      スタンド本体（ＬＥＤスタンド）
１１    据え置き部（スタンド本体）  
１２    支柱部（スタンド本体）
１２１  乾電池ホルダー（乾電池・電源）
１３    照明部（スタンド本体）
１３１  ＬＥＤライト用点灯スイッチ
１５    充電器（電源）
１５１  ＵＳＢ接続端子
２      警報装置
２０    警報音発生回路手段
２１    警報音発生器
２２    警報音発生スイッチ
２２１  第1の発声部（スピーカー）
２２２  第2の発声部  （通音用スリット）
３１    警報用スイッチ手段（警報装置）
３２    警報器（警報装置）
５      ラジオ受信装置
５１    ラジオ受信装置本体（ラジオ受信装置）
５２    ラジオ操作部
６      ＩＣ録音装置
６１    ＩＣ録音装置本体
６２    録音起動ＯＮ／ＯＦＦスイッチ
６３    録音操作部
６４    集音マイク部
７      太陽光発電装置（受光部）
【図１】
0003176039.tif 000003
【図２】
0003176039.tif 000004
【図３】
0003176039.tif 000005
【図４】
0003176039.tif 000006
【図５】
0003176039.tif 000007
【図６】
0003176039.tif 000008
【図７】
0003176039.tif 000009
【手続補正書】
【提出日】平成24年3月27日(2012.3.27)
【手続補正１】
【補正対象書類名】実用新案登録請求の範囲
【補正対象項目名】請求項２
【補正方法】変更
【補正の内容】
【請求項２】
充電器は、ＵＳＢ接続端子を備えた充電器であることを特徴とする請求項１の電気照明スタンド。
【手続補正２】
【補正対象書類名】明細書
【補正対象項目名】０００７
【補正方法】変更
【補正の内容】
【０００７】
請求項２の考案は、請求項１の電気照明スタンドにおいて、充電器は、ＵＳＢ接続端子を備えた充電器であることを特徴とする。